(57)【要約】【課題】本発明は、エラーなく正常に復号処理することが不可能な場合の消費電力を削減したＯＦＤＭ復調装置を提供することを目的とする。【解決手段】ＯＦＤＭ復調装置は、複数階層のデータを含むＯＦＤＭ受信データを復調して復調データを出力するＦＦＴ部と、ＦＦＴ部に結合され復調データを復号処理して復号後の複数階層のデータを出力するデータ処理部と、データ処理部に結合され復号後の複数階層のデータを合成する階層合成部と、ＯＦＤＭ受信データに応じてデータ処理部の動作を階層毎に独立に停止する停止制御部を含むことを特徴とする。【選択図】  図１
2007068039.tif 000002
【特許請求の範囲】
【請求項１】
複数階層のデータを含むＯＦＤＭ受信データを復調して復調データを出力するＦＦＴ部と、
該ＦＦＴ部に結合され該復調データを復号処理して復号後の該複数階層のデータを出力するデータ処理部と、
該データ処理部に結合され該復号後の複数階層のデータを合成する階層合成部と、
該ＯＦＤＭ受信データに応じて該データ処理部の動作を該階層毎に独立に停止する停止制御部
を含むことを特徴とするＯＦＤＭ復調装置。
【請求項２】
該停止制御部は、該ＯＦＤＭ受信データから抽出されたＣＮ値に応じて該データ処理部の動作を該階層毎に独立に停止することを特徴とする請求項１記載のＯＦＤＭ復調装置。
【請求項３】
該停止制御部は、該ＯＦＤＭ受信データから抽出されたパワー値に応じて該データ処理部の動作を該階層毎に独立に停止することを特徴とする請求項１記載のＯＦＤＭ復調装置。
【請求項４】
該停止制御部は、該ＯＦＤＭ受信データから抽出された受信状態に関する情報及び該階層毎の変調方式に関する情報に応じて該データ処理部の動作を該階層毎に独立に停止することを特徴とする請求項１記載のＯＦＤＭ復調装置。
【請求項５】
該ＦＦＴ部から供給されるデータイネーブル信号に応じて該データ処理部の動作タイミングを制御するためのデータイネーブル信号処理部を含み、該複数の階層のある階層について該データ処理部の動作が停止しても該複数の階層の全てについて該データイネーブル信号処理部が動作を実行するように構成され、該階層合成部は該データイネーブル信号処理部から供給されるデータイネーブル信号に基づいて該合成処理を実行し、該停止された階層のデータについてはＮｕｌｌデータで置き換えることを特徴とする請求項１記載のＯＦＤＭ復調装置。
【発明の詳細な説明】
【技術分野】
【０００１】
本発明は、一般に復調装置に関し、詳しくはＯＦＤＭ復調装置に関する。
【背景技術】
【０００２】
地上波デジタル放送においては、OFDM（Orthogonal  Frequency  Division  Multiplexing：直交周波数分割多重）変調方式を用いており、１チャネルあたり５．７ＭＨｚの帯域幅を、約４３０ｋＨｚの帯域幅を有する１３個のＯＦＤＭ周波数セグメントに分割している。各ＯＦＤＭセグメントは，伝送モードにより１０８/２１６/４３２本の直交するサブキャリアから構成される。これら１３個のセグメントは、最大３つの異なる階層に割当てることが可能であり、各階層毎に変調方式などの伝送パラメータを設定できる。これにより、例えば携帯受信用階層、移動受信用階層、固定受信用階層等を１チャンネルに含める等、目的・用途に応じて多様な放送サービスを提供できる。なお階層数が３の場合、所要ＣＮ比（carrier対noise比：高周波信号の搬送波の電力と帯域内にある雑音の電力比）の低い順に、それぞれＡ階層、Ｂ階層、Ｃ階層と呼ぶ。
【０００３】
地上波デジタル放送において用いられるＯＦＤＭ復調装置では、受信したＯＦＤＭ信号をＦＦＴにより復調した後に、周波数デインターリーバ処理し、更にデマッピングにより受信シンボルを軟判定する。軟判定後のビットデータに、時間デインターリーバ処理及びビットデインターリーバ処理等を実行する。更にデパンクチュア処理を実行すると共にビタビ復号処理を適用してデータ訂正を行う。その後、バイトデインターリーバ処理、エネルギー拡散処理、階層合成処理、リードソロモン訂正処理等が実行され、トランスポートストリーム（ＴＳ）として出力される。
【０００４】
ＯＦＤＭ復調装置の後段にはＭＰＥＧデコーダが設けられており、このＭＰＥＧデコーダがトランスポートストリームを受け取り、デコード処理を実行する。受信状態が劣悪で受信データを正常に復号できない場合、ＭＰＥＧデコーダでトランスポートストリームをデコードしても、デコード結果の映像や音声にエラーを含むことになる。例えば映像情報の場合、正常に復号できないデータ量が増えると、見るに耐えない映像となってしまう。通常このような場合には、ＭＰＥＧデコーダの出力においては、画像をブラックアウトやブルーバックにしたり、静止画を表示したりしている。
【０００５】
しかしこのような場合であっても、ＯＦＤＭ復調装置においては常時復号処理を実行しており、無駄な電力を消費している。即ち、ＭＰＥＧデコーダで得られるデコード結果に映像情報等としての利用価値がないような場合であっても、正常にエラーなく受信できる状態の場合と同様に、ＯＦＤＭ復調装置における復号処理動作が実行される。地上デジタル放送のように階層分離されている場合には、何れかの階層データについてエラー訂正できないような状態であっても、全ての階層のデータについてＯＦＤＭ復調装置による復号処理が動作され、不必要な電力を消費することになる。
【特許文献１】特開２００３−２７３８２４号公報
【特許文献２】特開２００３−６０６１０号公報
【特許文献３】特開平１１−２８２４９６号公報
【発明の開示】
【発明が解決しようとする課題】
【０００６】
以上を鑑みて、本発明は、エラーなく正常に復号処理することが不可能な場合の消費電力を削減したＯＦＤＭ復調装置を提供することを目的とする。
【課題を解決するための手段】
【０００７】
ＯＦＤＭ復調装置は、複数階層のデータを含むＯＦＤＭ受信データを復調して復調データを出力するＦＦＴ部と、該ＦＦＴ部に結合され該復調データを復号処理して復号後の該複数階層のデータを出力するデータ処理部と、該データ処理部に結合され該復号後の複数階層のデータを合成する階層合成部と、該ＯＦＤＭ受信データに応じて該データ処理部の動作を該階層毎に独立に停止する停止制御部を含むことを特徴とする。
【発明の効果】
【０００８】
本発明の少なくとも１つの実施例によるＯＦＤＭ復調装置においては、ある階層のデータが正常にデコードできない状態の場合には、その階層に関する処理を停止するよう構成される。このように復号処理が不要な階層については、処理動作を停止することで、ＯＦＤＭ復調装置における無駄な消費電力を削減することができる。
【発明を実施するための最良の形態】
【０００９】
以下に、本発明の実施例を添付の図面を用いて詳細に説明する。
【００１０】
図１は本発明によるＯＦＤＭ復調装置の構成の一例を示す図である。図１に示すＯＦＤＭ復調装置１０は、地上波デジタル放送を受信する構成を想定したものであるが、本願発明はこれに限定されるものではない。
【００１１】
図１のＯＦＤＭ復調装置１０は、ＦＦＴ部１１、周波数デインターリーバ部１２、デマッピング部１３Ａ乃至１３Ｃ、時間デインターリーバ部１４Ａ乃至１４Ｃ、ビットデインターリーバ部１５Ａ乃至１５Ｃ、デパンクチュア・ビタビ訂正部１６Ａ乃至１６Ｃ、バイトデインターリーバ部１７Ａ乃至１７Ｃ、エネルギー拡散部１８Ａ乃至１８Ｃ、階層合成部１９、リードソロモン（ＲＳ）訂正部２０、ＮＵＬＬ生成部２１、ＴＭＣＣデコーダ２２、及び停止制御部２３を含む。停止制御部２３は、ＣＮ（carrier対noise）取得演算部３１、ＣＮ閾値テーブル３２、セレクト部３３、Ａ階層ＣＮ閾値レジスタ３４、Ｂ階層ＣＮ閾値レジスタ３５、Ｃ階層ＣＮ閾値レジスタ３６、及び比較器３７乃至３９を含む。なお図においてデインターリーバをＤＩＬと表記してある。デマッピング部１３Ａからエネルギー拡散部１８Ａまでは地上波デジタル放送のＡ階層のデータを処理するパスであり、デマッピング部１３Ｂからエネルギー拡散部１８Ｂまでは地上波デジタル放送のＢ階層のデータを処理するパスであり、デマッピング部１３Ｃからエネルギー拡散部１８Ｃまでは地上波デジタル放送のＣ階層のデータを処理するパスである。これらのパスは、物理的に異なる３つのパスであってもよいし、同一のパスを時分割して３つのパスとして使用する構成であってもよい。
【００１２】
ＦＦＴ部１１は、ＦＦＴ演算を実行することにより、直交周波数分割多重された信号を復調する。ＦＦＴ部１１の出力には、ＴＭＣＣ（Transmission  and  Multiplexing  Configuration  Control）信号、パイロット信号、復調データ、及びデータイネーブル信号が含まれる。ＴＭＣＣ信号はＴＭＣＣデコーダ２２に供給され、パイロット信号はＣＮ取得演算部３１に供給され、復調データ及びデータイネーブル信号は周波数デインターリーバ部１２に供給される。周波数デインターリーバ部１２は、復調データを所定の法則に従い周波数領域で並べ替えることにより、周波数デインターリーバ処理を実行する。
【００１３】
デマッピング部１３Ａは、復調データ（受信シンボルデータ）をデマッピングすることで軟判定する。軟判定後のビットデータは時間デインターリーバ部１４Ａに供給される。時間デインターリーバ部１４Ａは、軟判定後のビットデータを所定の法則に従い時間領域で並べ替えることにより、時間デインターリーバ処理を実行する。更にビットデインターリーバ部１５Ａが、ビットデータを所定の法則に従いビット毎に並べ替えることにより、ビットデインターリーバ処理を実行する。
【００１４】
デパンクチュア・ビタビ訂正部１６Ａは、所定の符号ビットが消去されたパンクチャド符号をデパンクチュア処理する共に、軟判定されたデータをビタビ復号化処理により最尤判定する。その後更に、バイトデインターリーバ部１７Ａによりバイト毎のデインターリーバ処理を実行し、エネルギー拡散部１８Ａによりエネルギー拡散処理を実行する。
【００１５】
上述のように復調データを処理する際に、各処理部においては、データイネーブル信号のタイミングが示す位置のデータを処理対象として取り扱う。また上述の復調データに対する処理はＡ階層に対するデータ処理であるが、同様の処理が、デマッピング部１３Ｂ乃至エネルギー拡散部１８ＢによりＢ階層用のデータに対して実行され、デマッピング部１３Ｃ乃至エネルギー拡散部１８ＣによりＣ階層用のデータに対して実行される。
【００１６】
階層合成部１９は、処理後のＡ階層のデータ、Ｂ階層のデータ、Ｃ階層のデータを合成する。合成後のデータはＲＳ訂正部２０によりリードソロモン訂正されて、トランスポートストリーム（ＴＳ）として出力される。ＯＦＤＭ復調装置１０の後段に設けられたＭＰＥＧデコーダでは、トランスポートストリームを受け取りデコード処理を実行する。
【００１７】
図１の構成においては、停止制御部２３により、Ａ階層乃至Ｃ階層の１つ又は複数の階層に関する処理を停止可能な構成となっている。即ち、後段のＭＰＥＧデコーダによりデコード処理をしても所望の質のデコード結果が得られないような階層がある場合には、その階層について図１に示される経路での処理動作を停止する。具体的には、停止制御部２３は、階層への停止を指示する停止指示信号を選択的に送出することで、Ａ階層用のパスであるデマッピング部１３Ａ乃至エネルギー拡散部１８Ａ、Ｂ階層のパスであるデマッピング部１３Ｂ乃至エネルギー拡散部１８Ｂ、Ｃ階層のパスであるデマッピング部１３Ｃ乃至エネルギー拡散部１８Ｃを選択的に停止する。
【００１８】
この際、パスでの処理を停止するためには、復調データ処理用のクロック信号を停止すればよい。また一方の階層の処理動作を中断した場合、階層合成後に出力されるトランスポートストリームＴＳにおいては、処理中断した階層のデータが本来挿入されるべき位置に、ＮＵＬＬ生成部２１により生成したＮｕｌｌパケットを挿入すればよい。このＮｕｌｌパケットの挿入は、階層合成部１９において行われる。具体的には、処理中断する階層を処理するパスにおいて、データの有効位置を示すデータイネーブル信号についてはパスを伝播させて、階層合成部１９に供給する。階層合成部１９では、このデータイネーブル信号が示すタイミングに基づいて、Ｎｕｌｌパケットを挿入する。
【００１９】
図１のＯＦＤＭ復調装置１０において、停止制御部２３は階層停止制御を実行するために、パイロット信号等から導出した受信状態に関する情報と、ＴＭＣＣ信号から導出した各階層の変調方式等に関する情報とを用いる。図１の構成例においては、受信状態に関する情報としてＣＮ比を用い、各階層の変調方式等に関する情報として各階層の変調方式及び畳み込み率を用いている。
【００２０】
所定の変調方式と畳込み率との組み合わせに対して、エラー訂正ができなくなるＣＮ比の大きさを予め推定しておく。このＣＮ比の値を、変調方式と畳込み率との各組み合わせに対して、ＣＮ閾値テーブル３２に格納しておく。セレクト部３３は、階層Ａ乃至Ｃの各々について変調方式を示す信号と畳み込み率を示す信号とを、ＴＭＣＣデコーダ２２から受け取る。なおＴＭＣＣデコーダ２２は、現在使用されている変調方式種別、誤り訂正の符号化率、伝送速度等の情報を含んでいるＴＭＣＣ信号をデコードすることにより、変調方式を示す信号と畳み込み率を示す信号とを生成する。
【００２１】
セレクト部３３は、受け取った信号が示す変調方式及び畳み込み率に対応するＣＮ閾値テーブル３２のエントリを参照して、当該変調方式及び畳み込み率の組み合わせに対して予め求められたＣＮ値（ＣＮ閾値）を読み出す。このＣＮ値の読み出しは、Ａ階層の変調方式及び畳み込み率の組み合わせ、Ｂ階層の変調方式及び畳み込み率の組み合わせ、Ｃ階層の変調方式及び畳み込み率の組み合わせ、の各々に対して実行する。こうして読み出されたＡ階層ＣＮ閾値はＡ階層ＣＮ閾値レジスタ３４に格納され、Ｂ階層ＣＮ閾値はＢ階層ＣＮ閾値レジスタ３５に格納され、Ｃ階層ＣＮ閾値はＣ階層ＣＮ閾値レジスタ３６に格納される。これらのＡ階層ＣＮ閾値、Ｂ階層ＣＮ閾値、及びＣ階層ＣＮ閾値は、それぞれ比較器３７乃至３９に供給される。
【００２２】
ＣＮ取得演算部３１は、ＦＦＴ部１１からパイロット信号等を受け取り、受信した信号のＣＮ比の値を算出する。算出したＣＮ値は、比較器３７乃至３９に供給される。比較器３７乃至３９はそれぞれ、Ａ階層ＣＮ閾値、Ｂ階層ＣＮ閾値、及びＣ階層ＣＮ閾値と受信信号からの算出ＣＮ値とを比較する。比較器３７乃至３９の各々は、受信信号からの算出ＣＮ値が対応階層のＣＮ閾値よりも低い場合、停止指示信号をアサートする。この停止時信号のアサートに応じて、各階層の復号処理が停止されることは前述の通りである。
【００２３】
なお図１の構成においては、停止指示信号はＯＦＤＭ復調装置１０の外部にも送出される。これによりＯＦＤＭ復調装置１０の外部のコントローラ等は、データ復号処理が停止したこと及び停止した階層がどの階層であるのかを知ることができる。
【００２４】
このように本発明によるＯＦＤＭ復調装置１０においては、ある階層のデータが正常にデコードできない状態の場合には、その階層に関する処理を停止する構成となっている。このように復号処理が不要な階層については、処理動作を停止することで、消費電力を削減することができる。
【００２５】
図２は、本発明によるＯＦＤＭ復調装置の構成の別の一例を示す図である。図２において、図１と同一の構成要素は同一の番号で参照し、その説明は省略する。
【００２６】
図２のＯＦＤＭ復調装置１０Ａは、図１のＯＦＤＭ復調装置１０とは、停止制御部の構成が異なる。図２のＯＦＤＭ復調装置１０Ａの停止制御部２３Ａは、図１に示すＣＮ取得演算部３１及びＣＮ閾値テーブル３２に加え、パワー演算部４１、パワー閾値テーブル４２、セレクト部４３、Ａ階層閾値レジスタ４４、Ｂ階層閾値レジスタ４５、Ｃ階層閾値レジスタ４６、及び比較器４７乃至４９を含む。
【００２７】
図２に示す構成では、ＣＮ値だけではなくパイロット信号から求めた受信パワー（受信電力）をも用いて、階層を停止するか否かの判断を行う。このために、所定の変調方式と畳込み率との組み合わせに対して、エラー訂正ができなくなる受信パワーの大きさを予め推定しておく。この受信パワーの値を、変調方式と畳込み率との各組み合わせに対して、パワー閾値テーブル４２に格納しておく。
【００２８】
セレクト部４３は、受け取った信号が示す変調方式及び畳み込み率に対応するパワー閾値テーブル４２のエントリを参照して、当該変調方式及び畳み込み率の組み合わせに対して予め求められたパワー値（パワー閾値）を読み出す。このパワー閾値の読み出しは、Ａ階層の変調方式及び畳み込み率の組み合わせ、Ｂ階層の変調方式及び畳み込み率の組み合わせ、Ｃ階層の変調方式及び畳み込み率の組み合わせ、の各々に対して実行する。
【００２９】
こうして読み出されたＡ階層パワー閾値は、ＣＮ閾値テーブル３２から読み出されたＡ階層ＣＮ閾値と共に、Ａ階層閾値レジスタ４４に格納される。またＢ階層パワー閾値は、ＣＮ閾値テーブル３２から読み出されたＢ階層ＣＮ閾値と共に、Ｂ階層閾値レジスタ４５に格納される。またＣ階層パワー閾値は、ＣＮ閾値テーブル３２から読み出されたＣ階層ＣＮ閾値と共に、Ｃ階層閾値レジスタ４６に格納される。Ａ階層パワー閾値及びＡ階層ＣＮ閾値は比較器４７に供給され、Ｂ階層パワー閾値及びＢ階層ＣＮ閾値は比較器４８に供給され、Ｃ階層パワー閾値及びＣ階層ＣＮ閾値は比較器４９に供給される。
【００３０】
図３は、ＣＮ閾値テーブル３２及びパワー閾値テーブル４２の一例を示す図である。図３の例においては、ＣＮ閾値テーブル３２とパワー閾値テーブル４２とが１つのテーブルとして実現される。図３に示されるテーブルにおいて、変調方式、畳み込み率、ＣＮ閾値、及びパワー閾値がテーブル各列のエントリとして与えられ、同一行のエントリである変調方式、畳み込み率、ＣＮ閾値、及びパワー閾値が互いに対応する値となる。このようなテーブルにおいて、ある変調方式及び畳み込み率の組み合わせに対して、その組み合わせを含む行を特定し、その行のＣＮ閾値及びパワー閾値を読み出せばよい。
【００３１】
図２に戻り、ＣＮ取得演算部３１は、パイロット信号から算出したＣＮ値を比較器４７乃至４９に供給する。パワー演算部４１は、ＦＦＴ部１１からのパイロット信号に基づいて受信パワーを算出し、算出した受信パワー値を比較器４７乃至４９に供給する。比較器４７は、Ａ階層ＣＮ閾値と受信信号からの算出ＣＮ値とを比較するとともに、Ａ階層パワー閾値と受信信号からの算出パワー値とを比較する。比較器４７は、受信信号からの算出ＣＮ値がＡ階層のＣＮ閾値よりも低い場合又は受信信号からの算出パワー値がＡ階層のパワー閾値よりも低い場合の何れかの場合に、停止指示信号をアサートする。この停止時信号のアサートに応じて、Ａ階層の復号処理が停止される。比較器４８及び４９についても同様であり、受信信号からの算出ＣＮ値が対応階層のＣＮ閾値よりも低い場合又は受信信号からの算出パワー値が対応階層のパワー閾値よりも低い場合の何れかの場合に、停止指示信号をアサートする。
【００３２】
このように図２に示すＯＦＤＭ復調装置１０Ａにおいては、ある階層のデータが正常にデコードできない状態であるか否かを、ＣＮ値及び受信パワー値の両方に基づいて判定している。従って図１の構成と比較して、階層停止制御の信頼性を向上させ、更なる消費電力の削減をはかることができる。
【００３３】
図４は、階層の処理動作を停止する構成について説明するための図である。図４において、図１と同一の構成要素は同一の番号で参照し、その説明は省略する。
【００３４】
図４には、周波数デインターリーバ部１２乃至エネルギー拡散部１８ＡからなるＡ階層処理用の部分のみが示される。周波数デインターリーバ部１２乃至エネルギー拡散部１８ＢからなるＢ階層処理用の部分、及び周波数デインターリーバ部１２乃至エネルギー拡散部１８ＣからなるＣ階層処理用の部分についても同様の構成である。図示されるように、周波数デインターリーバ部１２、デマッピング部１３Ａ、時間デインターリーバ部１４Ａ、ビットデインターリーバ部１５Ａ、デパンクチュア・ビタビ訂正部１６Ａ、バイトデインターリーバ部１７Ａ、及びエネルギー拡散部１８Ａの各部は、データ処理部５１及びＥＮ処理部（イネーブル信号処理部）５２を含む。
【００３５】
データ処理部５１は、ＦＦＴ部１１から復調データを受け取ると共に、クロック分配器２７からＡ階層復号データ用クロック信号を受け取る。データ処理部５１は、Ａ階層復号データ用クロック信号を同期信号として用いて動作して、復調データの各処理を実行する。またＥＮ処理部５２は、ＦＦＴ部１１からデータイネーブル信号を受け取ると共に、クロック分配器２７からＡ階層データイネーブル信号用クロック信号を受け取る。ＥＮ処理部５２は、Ａ階層データイネーブル信号用クロック信号を同期信号として用いて動作して、データイネーブル信号に応じてデータ処理部５１の動作タイミングを制御する。具体的には、データイネーブル信号が示す有効データに位置において、対応するデータ処理部５１がデータ処理を実行するように制御する。データイネーブル信号は、各ＥＮ処理部５２を伝播していき、最終段のＥＮ処理部５２から階層合成部１９に供給される。
【００３６】
図４に示されるＡ階層処理用の部分の動作を停止する場合には、クロック分配器２７から供給されるＡ階層復号データ用クロック信号を停止すればよい。これは、クロック分配器２７においてＡ階層復号データ用クロック信号を送出する部分、或いはクロック分配器２７からデータ処理部５１にＡ階層復号データ用クロック信号を供給する経路の途中の部分で、ＡＮＤ論理ゲート等により信号をブロックする等の構成により容易に実現することができる。
【００３７】
なお図４では、デマッピング部１３Ａからエネルギー拡散部１８Ａまでの部分に加え、周波数デインターリーバ部１２についても、Ａ階層データを処理する部分として示してある。周波数デインターリーバ部１２について、階層毎の動作停止制御しない場合には、周波数デインターリーバ部１２以降の部分においてのみＡ階層復号データ用クロック信号を停止すればよい。
【００３８】
図４に示す構成において、Ａ階層復号データ用クロック信号を停止させても、Ａ階層データイネーブル信号用クロック信号についてはそのまま駆動させておく。これにより、Ａ階層データ処理用の部分の動作が停止しても、データイネーブル信号については、各ＥＮ処理部５２をそのまま伝播していき、最終段のＥＮ処理部５２から階層合成部１９に供給される。このデータイネーブル信号を用いることで、階層合成部１９は、本来Ａ階層のデータが存在する位置に、Ｎｕｌｌデータを挿入することができる。
【００３９】
図５は、本発明によるＯＦＤＭ復調装置の構成の別の一例を示す図である。図５に示すＯＦＤＭ復調装置は、地上波デジタル放送を受信する構成を想定したものであるが、本願発明はこれに限定されるものではない。図５において、図１と同一の構成要素は同一の番号で参照し、その説明は省略する。
【００４０】
図５のＯＦＤＭ復調装置１０Ｂは、ＦＦＴ部１１、周波数デインターリーバ部１２、デマッピング部１３、時間デインターリーバ部１４、ビットデインターリーバ部１５、デパンクチュア・ビタビ訂正部１６、バイトデインターリーバ部１７、エネルギー拡散部１８、階層合成部１９、リードソロモン（ＲＳ）訂正部２０、ＮＵＬＬ生成部２１、ＴＭＣＣデコーダ２２、及び受信状態演算取得部２３を含む。ＣＮ取得演算部３１、ＣＮ閾値テーブル３２、セレクト部３３、Ａ階層ＣＮ閾値レジスタ３４、Ｂ階層ＣＮ閾値レジスタ３５、Ｃ階層ＣＮ閾値レジスタ３６、及び比較器３７を含む。図５では、簡略化のために図１の比較器３７乃至３９を比較器３７として纏めて示してある。図５に示す構成は、同一のパスを時分割してＡ階層用乃至Ｃ階層用の３つのパスとして使用する構成に対応する。
【００４１】
即ち、周波数デインターリーバ部１２、デマッピング部１３、時間デインターリーバ部１４、ビットデインターリーバ部１５、デパンクチュア・ビタビ訂正部１６、バイトデインターリーバ部１７、及びエネルギー拡散部１８から構成されるデータ処理パスは、時分割的に動作することにより、Ａ階層用データに対する処理、Ｂ階層用データに対する処理、及びＣ階層用データに対する処理とを並行して実行する。
【００４２】
図６は、デマッピング部１３に入力される信号の構成を模式的に示す図である。図６の上段に示されるように、デマッピング部１３に入力される信号は、Ａ階層用データ６１、Ｂ階層用データ６２、Ｃ階層用データ６３、及びＮＵＬＬデータ６４が、時間軸上で順番に並べられた信号となっている。このデータの並びが、時間軸上で繰り返し現れる構成となっている。
【００４３】
図５に示すデータ処理パスは、図６のＡ階層用データ６１の位置においてＡ階層用のデータ処理を実行し、Ｂ階層用データ６２の位置においてＢ階層用のデータ処理を実行し、Ｃ階層用データ６３の位置においてＣ階層用のデータ処理を実行する。このような時分割処理のタイミング制御は、Ａ階層用データ６１の位置、Ｂ階層用データ６２の位置、Ｃ階層用データ６３の位置をそれぞれ示すデータイネーブル信号に基づいて実行することができる。
【００４４】
停止制御部２３からの停止指示信号により例えばＣ階層のデータ処理が停止された場合、図６の下段に示すように、Ｃ階層のデータがＮｕｌｌデータ６４Ａで置き換えられる。このＮｕｌｌデータによる置き換えは、前述のように階層合成部１９により実行される。
【００４５】
このように図５に示す時分割階層データ処理の構成においても、停止制御部２３からの指示により、不必要な階層データ処理を停止することができる。これにより、ＯＦＤＭ復調装置１０Ｂにおける余計な電力消費を避けることが可能となる。
【００４６】
以上、本発明を実施例に基づいて説明したが、本発明は上記実施例に限定されるものではなく、特許請求の範囲に記載の範囲内で様々な変形が可能である。
【図面の簡単な説明】
【００４７】
【図１】本発明によるＯＦＤＭ復調装置の構成の一例を示す図である。
【図２】本発明によるＯＦＤＭ復調装置の構成の別の一例を示す図である。
【図３】ＣＮ閾値テーブル及びパワー閾値テーブルの一例を示す図である。
【図４】階層の処理動作を停止する構成について説明するための図である。
【図５】本発明によるＯＦＤＭ復調装置の構成の別の一例を示す図である。
【図６】デマッピング部に入力される信号の構成を模式的に示す図である。
【符号の説明】
【００４８】
１０  ＯＦＤＭ復調装置
１１  ＦＦＴ部
１２Ａ，１２Ｂ，１２Ｃ  周波数デインターリーバ部
１３Ａ，１３Ｂ，１３Ｃ  デマッピング部
１４Ａ，１４Ｂ，１４Ｃ  時間デインターリーバ部
１５Ａ，１５Ｂ，１５Ｃ  ビットデインターリーバ部
１６Ａ，１６Ｂ，１６Ｃ  デパンクチュア・ビタビ訂正部
１７Ａ，１７Ｂ，１７Ｃ  バイトデインターリーバ部
１８Ａ，１８Ｂ，１８Ｃ  エネルギー拡散部
１９  階層合成部
２０  リードソロモン訂正部
２１  ＮＵＬＬ生成部
２２  ＴＭＣＣデコーダ
３１  ＣＮ取得演算部
３２  ＣＮ閾値テーブル
３３  セレクト部
３４  Ａ階層ＣＮ閾値レジスタ
３５  Ｂ階層ＣＮ閾値レジスタ
３６  Ｃ階層ＣＮ閾値レジスタ
３７，３８，３９  比較器
【図１】
2007068039.tif 000003
【図２】
2007068039.tif 000004
【図３】
2007068039.tif 000005
【図４】
2007068039.tif 000006
【図５】
2007068039.tif 000007
【図６】
2007068039.tif 000008